(57)【要約】【課題】スプリングの圧縮限界を簡単に設定でき、スプリングがスムーズに伸張収縮可能であり、スプリングがばね座から外れることがないテークアップ装置を提供する。【解決手段】コンベヤフレーム１１０のテール部の左右両側に前後方向に移動可能な一対の可動板１４０が設けられ、従動スプロケット１２０に固設された従動軸１２２が一対の可動板間に軸支され、一対の可動板の端面に横架された連結板１５０にねじ棒１６０の一端が垂設され、ねじ棒の他端がコンベヤフレームのテール部終端に固設されたエンドプレート１７０の開口部１７２から外部に突出し、突出したねじ棒に円筒状のねじ棒ホルダー１６６が遊嵌し、ねじ棒ホルダーの外側に伸張力によってねじ棒を牽引するスプリング１８０が遊嵌し、スプリングの伸張力をねじ棒に伝達するばね座１８２がねじ棒に螺着されていることにより、上記の課題を解決する。【選択図】図２
2010037049.tif 000002
【特許請求の範囲】
【請求項１】
コンベヤフレーム内に設けられた駆動輪と、前記コンベヤフレームのテール部に設けられた従動輪と、前記駆動輪と従動輪とに掛架されて循環走行する無端循環体とを有するコンベヤのテークアップ装置において、
前記コンベヤフレームのテール部の左右両側に前後方向に移動可能な一対の可動板が設けられ、前記従動輪に固設された従動軸が前記一対の可動板間に軸支され、該一対の可動板の端面に横架された連結板にねじ棒の一端が垂設され、該ねじ棒の他端が前記コンベヤフレームのテール部終端に固設されたエンドプレートの開口部から外部に突出し、該突出したねじ棒に円筒状のねじ棒ホルダーが遊嵌し、該ねじ棒ホルダーの外側に伸張力によって前記ねじ棒を牽引するスプリングが遊嵌し、該スプリングの伸張力を前記ねじ棒に伝達するばね座が前記ねじ棒に螺着されていることを特徴とするコンベヤのテークアップ装置。
【請求項２】
前記ばね座に前記スプリングの最外巻を囲繞するばね逃げ防止部が設けられていることを特徴とする請求項１記載のコンベヤのテークアップ装置。
【請求項３】
前記ばね座とねじ棒ホルダーの端面との間に複数枚のプレートワッシャーが前記ねじ棒に遊嵌した状態で装着されていることを特徴とする請求項１又は請求項２記載のコンベヤのテークアップ装置。
【発明の詳細な説明】
【技術分野】
【０００１】
本発明は、コンベヤの無端循環体に常時一定の張力を付与するテークアップ装置に関し、さらに詳しくは、スプリング式のテークアップ装置に関するものである。
【背景技術】
【０００２】
ベルトコンベヤ、チェーンコンベヤ、スラットコンベヤ等の無端循環体を使用するコンベヤは、無端循環体が経年変化により伸張するので、その伸びを吸収して無端循環体の循環走行を確実に保つために、無端循環体に常時一定の張力を付与するテークアップ装置を具備している。
【０００３】
このテークアップ装置として、従来より、図３に示すようなスプリング式テークアップ装置２００が知られている。従来のスプリング式テークアップ装置２００は、（図示されていない）駆動スプロケットと相対して設けられ、かつ、駆動スプロケットとの間に掛架されたコンベヤチェーン２３０に緊張力を付与可能なように移動可能に軸支された従動スプロケット２２０と、従動スプロケット２２０の軸受２２４に一端が連結され、他端が固定架台２５０を通り、スプリング２８０を挟んで緊張力を受けるばね座２８２で終端されたねじ棒２６０とを有している（例えば、特許文献１参照）。
【特許文献１】特開昭４７−２５８８２号公報
【発明の開示】
【発明が解決しようとする課題】
【０００４】
ところが、前述したような従来のスプリング式テークアップ装置２００は、スプリング２８０の圧縮限界を設定できないので、ねじ棒２６０に過度の引張力が加わるとスプリング２８０が潰れてしまうなどの障害が発生するという課題があった。
【０００５】
また、従来のスプリング式テークアップ装置２００は、ねじ棒２６０とスプリング２８０とが直接接触する構造であるため、スプリング２８０とねじ棒２６０のねじ山が引っかかり、スプリング２８０のスムーズな伸張収縮動作が阻害されるという課題があった。
【０００６】
さらに、従来のスプリング式テークアップ装置２００は、スプリング２８０の最外巻と接触するばね座２８２の端面が平坦であるため、スプリング２８０がばね座２８２から外れるという課題があった。
【０００７】
そこで、本発明が解決しようとする技術的課題、すなわち、本発明の目的は、スプリングの圧縮限界を簡単に設定でき、スプリングとねじ棒のねじ山が引っかかることなく、スプリングがスムーズに伸張収縮可能であり、スプリングがばね座から外れることのないスプリング式テークアップ装置を提供することである。
【課題を解決するための手段】
【０００８】
まず、本請求項１に係る発明は、コンベヤフレーム内に設けられた駆動輪と、前記コンベヤフレームのテール部に設けられた従動輪と、前記駆動輪と従動輪とに掛架されて循環走行する無端循環体とを有するコンベヤのテークアップ装置において、前記コンベヤフレームのテール部の左右両側に前後方向に移動可能な一対の可動板が設けられ、前記従動輪に固設された従動軸が前記一対の可動板間に軸支され、該一対の可動板の端面に横架された連結板にねじ棒の一端が垂設され、該ねじ棒の他端が前記コンベヤフレームのテール部終端に固設されたエンドプレートの開口部から外部に突出し、該突出したねじ棒に円筒状のねじ棒ホルダーが遊嵌し、該ねじ棒ホルダーの外側に伸張力によって前記ねじ棒を牽引するスプリングが遊嵌し、該スプリングの伸張力を前記ねじ棒に伝達するばね座が前記ねじ棒に螺着されていることにより、前記課題を解決したものである。
【０００９】
そして、本請求項２に係る発明は、請求項１に係るコンベヤのテークアップ装置において、前記ばね座に前記スプリングの最外巻を囲繞するばね逃げ防止部が設けられていることにより、前記課題をさらに解決したものである。
【００１０】
また、本請求項３に係る発明は、請求項１又は請求項２に係るコンベヤのテークアップ装置において、前記ばね座とねじ棒ホルダーの端面との間に複数枚のプレートワッシャーが前記ねじ棒に遊嵌した状態で装着されていることにより、前記課題をさらに解決したものである。
【発明の効果】
【００１１】
本請求項１に係る発明によれば、コンベヤフレーム内に設けられた駆動輪と、コンベヤフレームのテール部に設けられた従動輪と、駆動輪と従動輪とに掛架されて循環走行する無端循環体とを有するコンベヤのテークアップ装置において、コンベヤフレームのテール部の左右両側に前後方向に移動可能な一対の可動板が設けられ、従動輪に固設された従動軸が一対の可動板間に軸支され、その一対の可動板の端面に横架された連結板にねじ棒の一端が垂設され、そのねじ棒の他端がコンベヤフレームのテール部終端に固設されたエンドプレートの開口部から外部に突出し、その突出したねじ棒に円筒状のねじ棒ホルダーが遊嵌し、そのねじ棒ホルダーの外側に伸張力によってねじ棒を牽引するスプリングが遊嵌し、そのスプリングの伸張力をねじ棒に伝達するばね座がねじ棒に螺着されていることにより、ねじ棒とスプリングが直接接触することが回避されているため、スプリングとねじ棒のねじ山が引っかかることなく、スプリングのスムーズな伸張収縮動作が実現できる。
【００１２】
そして、本請求項２に係るコンベヤのテークアップ装置によれば、請求項１に係るコンベヤのテークアップ装置において、ばね座にスプリングの最外巻を囲繞するばね逃げ防止部が設けられていることにより、スプリングがばね座から外れることがなく、コンベヤの安全性及び信頼性の向上が実現できる。
【００１３】
また、本請求項３に係るコンベヤのテークアップ装置によれば、請求項１又は請求項２に係るコンベヤのテークアップ装置において、ばね座とねじ棒ホルダーの端面との間に複数枚のプレートワッシャーがねじ棒に遊嵌した状態で装着されていることにより、ねじ棒ホルダーの長さとプレートワッシャーの枚数でスプリングの圧縮限界を設定することができるので、ねじ棒に過度の引張力が加わったとしてもスプリングが潰れてしまうなどの障害が発生することなく、装置の耐久性の向上が実現できる。しかも、プレートワッシャーの枚数を変えるだけでスプリングの圧縮限界を微調整することができる。
【発明を実施するための最良の形態】
【００１４】
本発明は、コンベヤフレーム内に設けられた駆動輪と、コンベヤフレームのテール部に設けられた従動輪と、駆動輪と従動輪とに掛架されて循環走行する無端循環体とを有するコンベヤのテークアップ装置において、コンベヤフレームのテール部の左右両側に前後方向に移動可能な一対の可動板が設けられ、従動輪に固設された従動軸が一対の可動板間に軸支され、その一対の可動板の端面に横架された連結板にねじ棒の一端が垂設され、そのねじ棒の他端がコンベヤフレームのテール部終端に固設されたエンドプレートの開口部から外部に突出し、その突出したねじ棒に円筒状のねじ棒ホルダーが遊嵌し、そのねじ棒ホルダーの外側に伸張力によってねじ棒を牽引するスプリングが遊嵌し、そのスプリングの伸張力をねじ棒に伝達するばね座がねじ棒に螺着されていることにより、スプリングの圧縮限界を簡単に設定でき、スプリングとねじ棒のねじ山が引っかかることなく、スプリングがスムーズに伸張収縮可能であり、スプリングがばね座から外れることがないものであれば、その具体的な実施の態様は、如何なるものであっても何ら構わない。
【００１５】
例えば、本発明のテークアップ装置は、コンベヤフレームの両端に軸支したプーリーにベルトを無端状に掛架し、その上に搬送物を載せて運搬するベルトコンベヤや、無端状に掛架された複数条のチェーンによって搬送物を運搬するチェーンコンベヤや、無端状に掛架された１条又は数条のチェーンにスラットを連続的に取り付けて、その上に搬送物を載せて搬送するスラットチェーンなど無端循環体を用いるさまざまな種類のコンベヤに適用することができる。
【００１６】
本発明の一実施例について、図１及び図２に基づいて説明する。
ここで、図１は、本実施例のテークアップ装置の側面図であり、図２は、図１に示したテークアップ装置のＩＩ−ＩＩ線における断面図である。
【００１７】
本実施例のテークアップ装置１００は、図１及び図２に示すように、コンベヤフレーム１１０内に設けられた駆動スプロケット（図示されていない）と、コンベヤフレーム１１０のテール部１１０Ｔに設けられた従動スプロケット１２０と、駆動スプロケットと従動スプロケット１２０とに掛架されて循環走行するコンベヤチェーン１３０とを有するコンベヤのコンベヤチェーン１３０に一定の張力を付与するために設置するものである。
【００１８】
そして、本実施例のテークアップ装置１００は、図２に示すように、コンベヤフレーム１１０のテール部の左右両側にガイドレール１４２に案内されて前後方向に移動可能な一対の可動板１４０が設けられている。そして、従動スプロケット１２０に固設された従動軸１２２が、一対の可動板１４０間に軸支され、この一対の可動板１４０の端面に横架された連結板１５０にテークアップ装置１００のストローク以上の長さのねじ棒１６０の一端が２つのナット１６２、１６４によって、連結板１５０に対して垂直に螺設されている。
【００１９】
そして、ねじ棒１６０の他端が、コンベヤフレーム１１０のテール部終端に固設されたエンドプレート１７０の開口部１７２から外部に突出し、その突出したねじ棒１６０に円筒状のねじ棒ホルダー１６６が遊嵌している。このねじ棒ホルダー１６６は、外径がエンドプレート１７０の開口部１７２と係合する大きさであり、一端からエンドプレート１７０の厚さ分距離を置いた位置に鍔部１６６ａが突設されている。そして、ねじ棒ホルダー１６６の一端をエンドプレート１７０の開口部１７２に係合させた状態で、鍔部１６６ａとエンドプレート１７０とを溶接することにより、ねじ棒ホルダー１６６とエンドプレート１７０とを固着している。
【００２０】
ねじ棒ホルダー１６６の外側に伸張力によってねじ棒１６０を牽引するスプリング１８０が遊嵌し、このスプリング１８０の伸張力をねじ棒１６０に伝達するばね座１８２がねじ棒１６０に螺着されている。このばね座１８２は、片側にスプリング１８０の最外巻を囲繞するばね逃げ防止部１８２ａが設けられているとともに、反対側にねじ棒１６０と螺合するナット１８２ｂが溶接されている。そして、ナット１８４が、ばね座１８２に溶接されたナット１８２ｂとダブルナットを構成するようにねじ棒１６０に螺合してばね座１８２の緩みを防止している。
【００２１】
さらに、ばね座１８２とねじ棒ホルダー１６６の端面との間に４枚のプレートワッシャー１９０がねじ棒１６０に遊嵌した状態で装着されている。この構成により、ねじ棒ホルダー１６６の長さとプレートワッシャー１９０の厚さによりスプリング１８０の圧縮限界、すなわち、これ以上は圧縮できないという限界位置が設定される。この圧縮限界は、プレートワッシャー１９０の枚数を変えることにより微調整することができる。
【００２２】
以上のように、本実施例のテークアップ装置１００によれば、コンベヤフレーム１１０のテール部の左右両側に前後方向に移動可能な一対の可動板１４０が設けられ、従動スプロケット１２０に固設された従動軸１２２が一対の可動板１４０間に軸支され、その一対の可動板１４０の端面に横架された連結板１５０にねじ棒１６０の一端が垂設され、そのねじ棒１６０の他端がコンベヤフレーム１１０のテール部終端に固設されたエンドプレート１７０の開口部１７２から外部に突出し、その突出したねじ棒１６０に円筒状のねじ棒ホルダー１６６が遊嵌し、そのねじ棒ホルダー１６６の外側に伸張力によってねじ棒１６０を牽引するスプリング１８０が遊嵌し、そのスプリング１８０の伸張力をねじ棒１６０に伝達するばね座１８２がねじ棒１６０に螺着されていることにより、ねじ棒１６０とスプリング１８０が直接接触することが回避されているため、スプリング１８０とねじ棒１６０のねじ山が引っかかることなく、スプリング１８０のスムーズな伸張収縮動作が実現できる。
【００２３】
さらに、本実施例のテークアップ装置１００によれば、ばね座１８２にスプリング１８０の最外巻を囲繞するばね逃げ防止部１８２ａが設けられていることにより、スプリング１８０がばね座１８２から外れることがなく、コンベヤの安全性及び信頼性の向上が実現できる。
【００２４】
加えて、本実施例のテークアップ装置１００によれば、ばね座１８２とねじ棒ホルダー１６６の端面との間に複数枚のプレートワッシャー１９０がねじ棒１６０に遊嵌した状態で装着されていることにより、ねじ棒ホルダー１６６の長さとプレートワッシャー１９０の枚数でスプリング１８０の圧縮限界を設定することができるので、ねじ棒１６０に過度の引張力が加わったとしてもスプリング１８０が潰れてしまうなどの障害が発生することなく、装置の耐久性の向上が実現できる。しかも、プレートワッシャー１９０の枚数を変えるだけでスプリング１８０の圧縮限界を微調整することができ、その効果は甚大である。
【図面の簡単な説明】
【００２５】
【図１】本発明の実施例のテークアップ装置の側面図。
【図２】図１に示したテークアップ装置のＩＩ−ＩＩ線における断面図。
【図３】従来のテークアップ装置の概略図。
【符号の説明】
【００２６】
１００、２００  ・・・  テークアップ装置
１１０  ・・・  コンベヤフレーム
１１０Ｔ  ・・・  （コンベヤフレームの）テール部
１２０、２２０  ・・・  従動スプロケット
１２２  ・・・  従動軸
１３０、２３０  ・・・  コンベヤチェーン
１４０  ・・・  可動板
１４２  ・・・  ガイドレール
１５０  ・・・  連結板
１６０、２６０  ・・・  ねじ棒
１６２、１６４  ・・・  ナット
１６６  ・・・  ねじ棒ホルダー
１６６ａ  ・・・  （ねじ棒ホルダーの）鍔部
１７０  ・・・  エンドプレート
１７２  ・・・  （エンドプレートの）開口部
１８０  ・・・  スプリング
１８２、２８２  ・・・  ばね座
１８２ａ  ・・・  （ばね座の）ばね逃げ防止部
１８２ｂ  ・・・  （ばね座の）ナット
１８４  ・・・  ナット
１９０  ・・・  プレートワッシャー
２２４  ・・・  軸受
２５０  ・・・  固定架台
【図１】
2010037049.tif 000003
【図２】
2010037049.tif 000004
【図３】
2010037049.tif 000005